【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
無線機能付き時計であって、
ハウジングと、
前記ハウジング内に収容され、外部からの電波を受信するためのアンテナと、
前記ハウジング上に回転可能に配置される導電性の回転ベゼルと、
前記回転ベゼルを周方向に分断する少なくとも１つのスリットと、
を備えることを特徴とする無線機能付き時計。
【請求項２】
前記回転ベゼルのスリット内に、絶縁部材が配置されていることを特徴とする請求項１に記載の無線機能付き時計。
【請求項３】
前記絶縁部材が、時計の機能表示を示す指標であることを特徴とする請求項２に記載の無線機能付き時計。
【請求項４】
前記回転ベゼルの上面における内周縁に、
前記回転ベゼルの上面より下方に凹設された環状の段部が形成され、
前記段部に、少なくとも前記ベゼルに設けられている前記スリットを覆うように、補強部材が固定されていることを特徴とする請求項１から３のいずれかに記載の無線機能付き時計。
【請求項５】
前記補強部材が、環状に構成されていることを特徴とする請求項４に記載の無線機能付き時計。
【請求項６】
前記補強部材上に、時計の機能表示を示す指標が形成されていることを特徴とする請求項４または５に記載の無線機能付き時計。
【手続補正２】
【補正対象書類名】明細書
【補正対象項目名】０００４
【補正方法】変更
【補正の内容】
【０００４】
しかしながら、これら無線機能付き時計は、他の通信機器と異なり、時計であるがために、装飾品または装身具としての美観や高級感が求められる。
このため、アンテナを収納する筐体であるハウジングを、合成樹脂などの非導電性の素材ではなく、導電性の素材、すなわち金属製の素材を採用することが求められる。
【手続補正３】
【補正対象書類名】明細書
【補正対象項目名】００２１
【補正方法】変更
【補正の内容】
【００２１】
本発明は、前述したような従来技術における課題及び目的を達成するために発明されたものであって、
本発明の無線機能付き時計は、
ハウジングと、
前記ハウジング内に収容され、外部からの電波を受信するためのアンテナと、
前記ハウジング上に回転可能に配置される導電性の回転ベゼルと、
前記回転ベゼルを周方向に分断する少なくとも１つのスリットと、
を備えることを特徴とする。
【手続補正４】
【補正対象書類名】明細書
【補正対象項目名】００２２
【補正方法】変更
【補正の内容】
【００２２】
このように、ハウジング上に回転可能に配置される導電性の回転ベゼルに、回転ベゼルを周方向に分断するスリットが形成されているので、このスリットによって、回転ベゼルに沿って渦電流が流れるのが分断され、渦電流の発生が阻止されることになる。
【手続補正５】
【補正対象書類名】明細書
【補正対象項目名】００２７
【補正方法】変更
【補正の内容】
【００２７】
逆に非導電性の部材とは、「その部材の素材自体が非導電性の部材であるもの」、または「その部材に非導電性の被膜が被覆されたもの」を言う。後者の場合、部材の素材自体は、非導電性の素材であっても、導電性の素材であっても、または非導電性の素材と導電性の素材の組み合わせであってもよい。
【手続補正６】
【補正対象書類名】明細書
【補正対象項目名】００２９
【補正方法】変更
【補正の内容】
【００２９】
また、本発明の無線機能付き時計は、
前記回転ベゼルのスリット内に、絶縁部材が配置されていることを特徴とする。
このように、時計ケース上に配置した導電性の回転ベゼルに、回転ベゼルを周方向に分断するスリットが形成され、このスリット内に絶縁部材が配置されているので、この絶縁部材によって、回転ベゼルに沿って渦電流が流れるのが分断され、渦電流の発生が阻止されることになる。
【手続補正７】
【補正対象書類名】明細書
【補正対象項目名】００４３
【補正方法】変更
【補正の内容】
【００４３】
このように、特に、絶縁部材が、導電性素材より成る回転ベゼルと同じような金属外観を呈すれば、絶縁部材が視認され難くなるばかりか、回転ベゼルに高級感が与えられる。
導電性素材より成る回転ベゼルと同じような金属外観を得るために、絶縁部材は、回転ベゼルと同色色調のメタリック塗装による塗装被膜に被覆されてもよい。このメタリック塗装被膜として、例えばメタリック顔料が混入された塗装被膜が採用される。
【手続補正８】
【補正対象書類名】明細書
【補正対象項目名】００５１
【補正方法】変更
【補正の内容】
【００５１】
このように、絶縁部材の視認面の色調を、回転ベゼルの視認面の色調と異色色調となるように構成すれば、この絶縁部材の部分を、美観上または何らかの情報として、時計の携帯者などの観察者に視認し易くさせることができる。
【手続補正９】
【補正対象書類名】明細書
【補正対象項目名】００５６
【補正方法】変更
【補正の内容】
【００５６】
このように構成することによって、絶縁部材に保持された導電性の付加部材により、絶縁部材に金属外観が付与されることになるので、回転ベゼルの美観と高級感が向上し、時計自体の美観も向上することになる。
【手続補正１０】
【補正対象書類名】明細書
【補正対象項目名】００６０
【補正方法】変更
【補正の内容】
【００６０】
このように、付加部材の視認面の色調を、回転ベゼルの視認面の色調と異色色調となるように構成すれば、この付加部材の部分を、美観上または何らかの情報として、時計の携帯者などの観察者に視認し易くすることができる。
【手続補正１１】
【補正対象書類名】明細書
【補正対象項目名】００６３
【補正方法】変更
【補正の内容】
【００６３】
このように構成することによって、回転ベゼルと絶縁部材と付加部材とが一体的に視認されるので、回転ベゼルの美観と高級感が向上し、時計自体の美観も向上することになる。
【手続補正１２】
【補正対象書類名】明細書
【補正対象項目名】００６４
【補正方法】変更
【補正の内容】
【００６４】
また、回転ベゼルと絶縁部材と付加部材のそれぞれ傾斜面が略同一平面を形成していれば、回転ベゼルに平滑な指標面が形成されるので、指標を読み取りやすくなる。
さらに、指標面に指標を印刷して形成する場合、平滑な指標面に極めて容易に指標を印刷することができる。
【手続補正１３】
【補正対象書類名】明細書
【補正対象項目名】００６６
【補正方法】変更
【補正の内容】
【００６６】
このように構成することによって、回転ベゼルと絶縁部材との境界が、付加部材の覆い部で隠されて視認されなくなるので、回転ベゼルの美観と高級感がさらに向上する。
また、本発明の無線機能付き時計は、
前記付加部材の覆い部と前記回転ベゼルとの間に、前記絶縁部材より延出する延出部が形成されていることを特徴とする。
【手続補正１４】
【補正対象書類名】明細書
【補正対象項目名】００６９
【補正方法】変更
【補正の内容】
【００６９】
このように構成することによって、絶縁部材に形成された凹部内に、付加部材を確実に固定することができる。
また、付加部材と絶縁部材の視認面とが略同一平面を形成するように、絶縁部材の凹部内に付加部材を配置することができ、回転ベゼルと絶縁部材と付加部材とが一体的に視認されるので、回転ベゼルの美観と高級感が向上し、時計自体の美観も向上することになる。
【手続補正１５】
【補正対象書類名】明細書
【補正対象項目名】００７１
【補正方法】変更
【補正の内容】
【００７１】
このように構成することによって、２つの絶縁部材の間に、付加部材を確実に固定することができる。
また、付加部材と絶縁部材の視認面とが略同一平面を形成するように、２つの絶縁部材の間に付加部材を配置することができ、回転ベゼルと絶縁部材と付加部材とが一体的に視認されるので、回転ベゼルの美観と高級感が向上し、時計自体の美観も向上することになる。
【手続補正１６】
【補正対象書類名】明細書
【補正対象項目名】００７４
【補正方法】変更
【補正の内容】
【００７４】
このように構成することによって、指標部が時計の機能表示を明確に指示することになり、時計の携帯者などの観察者が、時計の機能表示を視認しやすくなる。
さらに、回転ベゼルのスリットが、時計の携帯者などに視認されにくくなるため、回転ベゼルの美観と高級感が向上し、時計自体の美観も向上することになる。
【手続補正１７】
【補正対象書類名】明細書
【補正対象項目名】００７８
【補正方法】変更
【補正の内容】
【００７８】
また、本発明の無線機能付き時計は、
前記絶縁部材が、装飾部材を備えることを特徴とする。
このように、絶縁部材に、例えば宝石や貴石などの輝石からなる装飾部材を備えることによって、回転ベゼルの美観と高級感が向上し、時計自体の美観も向上することになる。
【手続補正１８】
【補正対象書類名】明細書
【補正対象項目名】００９０
【補正方法】変更
【補正の内容】
【００９０】
このように、特に、補強部材が、導電性素材より成る回転ベゼルと同じような金属外観を呈すれば、補強部材が視認され難くなるばかりか、回転ベゼルに高級感が与えられる。
導電性素材より成る回転ベゼルと同じような金属外観を得るために、補強部材は、回転ベゼルと同色色調のメタリック塗装による塗装被膜に被覆されてもよい。このメタリック塗装被膜として、例えばメタリック顔料が混入された塗装被膜が採用される。
【手続補正１９】
【補正対象書類名】明細書
【補正対象項目名】００９８
【補正方法】変更
【補正の内容】
【００９８】
このように、補強部材の視認面の色調を、回転ベゼルの視認面の色調と異色色調となるように構成すれば、この補強部材の部分を、美観上または何らかの情報として、時計の携帯者などの観察者に視認し易くさせることができる。
【手続補正２０】
【補正対象書類名】明細書
【補正対象項目名】００９９
【補正方法】変更
【補正の内容】
【００９９】
ここで、補強部材と回転ベゼルとが異色色調であるとは、上記の同色色調と認められない色調の組み合わせのことを言う。
また、本発明の無線機能付き時計は、
前記補強部材上に、時計の機能表示を示す指標が形成されていることを特徴とする。
【手続補正２１】
【補正対象書類名】明細書
【補正対象項目名】０１０２
【補正方法】変更
【補正の内容】
【０１０２】
このように構成することによって、回転ベゼルと補強部材とが一体的に視認されるので、回転ベゼルの美観と高級感が向上し、時計自体の美観も向上することになる。
また、本発明の無線機能付き時計は、
前記回転ベゼルが導電性の材質であって、
前記回転ベゼルの上面より下方に凹設された環状の段部と、前記補強部材の裏面との間に、絶縁領域を備えることを特徴とする。
【手続補正２２】
【補正対象書類名】明細書
【補正対象項目名】０１１２
【補正方法】変更
【補正の内容】
【０１１２】
このように、例えば絶縁材料を塗装することによって、回転ベゼルと時計ケースとの間の境界面の少なくともいずれか一方に、絶縁被膜からなる絶縁領域を形成することができ、作業能率が向上し、製造コストを低減させることができる。
【手続補正２３】
【補正対象書類名】明細書
【補正対象項目名】０１２３
【補正方法】変更
【補正の内容】
【０１２３】
また、文字板２４は、ソーラーセル２２の発電に寄与する波長の外光を透過する透光機能を有するものであれば特に限定されるものではないが、合成樹脂、セラミック、ガラス、木材、貝などの非導電性材料で構成することによって、外部からの電波がさらにアンテナ２６に到達しやすくなり、アンテナ２６の受信感度を向上させることができる。
【手続補正２４】
【補正対象書類名】明細書
【補正対象項目名】０１４９
【補正方法】変更
【補正の内容】
【０１４９】
従って、絶縁部材７８の視認面が、回転ベゼル３６と一体的に視認されるので、回転ベゼル３６の美観と高級感が向上し、時計自体の美観も向上することになる。
なお絶縁部材７８は、回転ベゼル３６に設けられたスリット５６と同数設ければよく、スリット５６が一箇所に設けられている場合には絶縁部材７８を一つ設け、スリット５６が複数箇所に設けられている場合には絶縁部材７８をスリット５６の数と同じだけ設けるようにすれば良い。
【手続補正２５】
【補正対象書類名】明細書
【補正対象項目名】０１５３
【補正方法】変更
【補正の内容】
【０１５３】
また、このような絶縁被膜としては、
・ＤＬＣ（Ｄｉａｍｏｎｄ Ｌｉｋｅ Ｃａｒｂｏｎ）などのＣＶＤ被膜、
・アクリル系材料、ウレタン系材料、または、セルロース系材料などの有機材料の絶縁被膜、
・クロム化合物を含むクロム化合物系被膜、または酸化アルミ化合物を含む酸化アルミ系被膜、
などを採用することができる。
【手続補正２６】
【補正対象書類名】明細書
【補正対象項目名】０１５７
【補正方法】変更
【補正の内容】
【０１５７】
また、絶縁部材７８の視認面の色調が、回転ベゼル３６の視認面の色調と同色色調とすることもできる。
この場合「同色色調」とは、回転ベゼル３６と絶縁部材７８との色調とが、共に同じ色調と認識され得る範囲内にあることを意味し、その色調の濃淡や明暗など、色調の外観上の風合いが完全に一致することに限定されない。
このように、絶縁部材７８の視認面の色調を、回転ベゼル３６の視認面の色調と同色色調となるように構成すれば、絶縁部材７８が視認され難くなり、回転ベゼル３６の美観、時計自体の美観が向上することになる。なお「視認面」とは、外面のうち観察者に視認される領域を言う。
【手続補正２７】
【補正対象書類名】明細書
【補正対象項目名】０１５８
【補正方法】変更
【補正の内容】
【０１５８】
また、絶縁部材７８の視認面の色調が、回転ベゼル３６の視認面の色調と異色色調とすることもできる。
なお、回転ベゼル３６と絶縁部材７８の視認面の色調とは、回転ベゼル３６と絶縁部材７８の素材そのものの色調であっても、回転ベゼル３６と絶縁部材７８に被覆された被膜の色調であってもよい。
従って「異色色調」とは、このような回転ベゼル３６と絶縁部材７８の視認面の色調が、上記の同色色調と認められない色調の組み合わせを言う。
このように、絶縁部材７８の視認面の色調を、回転ベゼル３６の視認面の色調と異色色調となるように構成すれば、例えばこの絶縁部材７８の部分を、美観上または何らかの情報として、時計の携帯者などの観察者に視認し易くすることができる。
【手続補正２８】
【補正対象書類名】明細書
【補正対象項目名】０１５９
【補正方法】削除
【補正の内容】
【手続補正２９】
【補正対象書類名】明細書
【補正対象項目名】０１６０
【補正方法】削除
【補正の内容】
【手続補正３０】
【補正対象書類名】明細書
【補正対象項目名】０１６１
【補正方法】削除
【補正の内容】
【手続補正３１】
【補正対象書類名】明細書
【補正対象項目名】０１６２
【補正方法】変更
【補正の内容】
【０１６２】
さらに、絶縁部材７８を、時計の機能表示を示す指標とすることもできる。
このように絶縁部材７８を、時刻表示、日付表示、曜日表示、月表示、年表示、電池の残量表示、圧力や温度などの外環境測定値の表示、アンテナの受信感度表示、アンテナにおける受信の成否表示など時計の機能表示を示す指標とすることによって、時計の機能表示を、時計の携帯者などの観察者に示すことができる。
【手続補正３２】
【補正対象書類名】明細書
【補正対象項目名】０１７０
【補正方法】変更
【補正の内容】
【０１７０】
さらに、図８から図１０に示したように、指標部８８が回転ベゼル３６のスリット５６の開放端を越えて、回転ベゼル３６の上面まで延出するように構成しても良い。このように構成すれば、回転ベゼル３６のスリット５６が、時計の携帯者などに視認されにくくなるため、回転ベゼル３６の美観と高級感が向上し、時計自体の美観も向上することになる。
【手続補正３３】
【補正対象書類名】明細書
【補正対象項目名】０１８０
【補正方法】変更
【補正の内容】
【０１８０】
この実施例の無線機能付き時計１０では、図１１に示したように絶縁部材７８に、観る者に美感を起こさせる装飾部材８４が形成されている。
このように絶縁部材７８に宝石や貴石などの輝石からなる装飾部材８４を備えることによって、回転ベゼル３６の美観と高級感が向上し、時計自体の美観も向上することになる。
（実施例５）
図１２は、本発明の第５の実施例における無線機能付き時計であって、スリット内に絶縁部材を装着する状態を説明する斜視図、図１３は、本発明の第５の実施例における無線機能付き時計であって、スリット内に絶縁部材を装着した状態を説明する斜視図、図１４は、本発明の第５の実施例における無線機能付き時計であって、スリット内に絶縁部材を装着した状態を説明する部分断面図である。
【手続補正３４】
【補正対象書類名】明細書
【補正対象項目名】０１８５
【補正方法】変更
【補正の内容】
【０１８５】
このように構成すれば、絶縁部材７８に保持された導電性の付加部材８０により、絶縁部材７８に金属外観が付与されることになるので、回転ベゼル３６の美観と高級感が向上し、時計自体の美観も向上することになる。
【手続補正３５】
【補正対象書類名】明細書
【補正対象項目名】０１８８
【補正方法】変更
【補正の内容】
【０１８８】
また、付加部材８０の視認面の色調が、回転ベゼル３６の視認面の色調と異色色調とすることもできる。
このように、付加部材８０の視認面の色調が、回転ベゼル３６の視認面の色調と異色色調となるように構成することによって、この付加部材８０の部分を、美観上または何らかの情報として、時計の携帯者などの観察者に視認し易くすることができる。
【手続補正３６】
【補正対象書類名】明細書
【補正対象項目名】０１９０
【補正方法】変更
【補正の内容】
【０１９０】
この場合、付加部材８０自体を時計の機能表示を示す指標として用いてもよい。さらにブランド名、メーカー名、商品名などを表すマークやエンブレムなどの商品表示部材であってもよい。
【手続補正３７】
【補正対象書類名】明細書
【補正対象項目名】０１９４
【補正方法】変更
【補正の内容】
【０１９４】
このように構成することによって、付加部材８０が２つの絶縁部材７８、７８の間に確実に固定することができる。
また、付加部材８０と絶縁部材７８の視認面とが略同一平面を形成するように、２つの絶縁部材７８、７８の間に付加部材８０を配置することができ、回転ベゼル３６と絶縁部材７８と付加部材８０とが一体的に視認されるので、回転ベゼル３６の美観と高級感が向上し、時計自体の美観も向上することになる。
【手続補正３８】
【補正対象書類名】明細書
【補正対象項目名】０１９９
【補正方法】変更
【補正の内容】
【０１９９】
このように構成することによって、回転ベゼル３６と絶縁部材７８との境界が、付加部材８０の覆い部８０ｃで隠されて視認されなくなるので、回転ベゼル３６の美観と高級感がさらに向上する。
【手続補正３９】
【補正対象書類名】明細書
【補正対象項目名】０２０５
【補正方法】変更
【補正の内容】
【０２０５】
なお、このような付加部材８０上に、実施例４と同様に、観る者に美感を起こさせる宝石や貴石などの輝石からなる装飾部材８４を形成することによって、回転ベゼル３６の美観と高級感がさらに向上し、時計自体の美観もさらに向上することになる。
（実施例８）
図１８は、本発明の第８の実施例における無線機能付き時計であって、回転ベゼル上に設けられた凹部に、補強部材を固定する状態を説明する斜視図、図１９は、本発明の第８の実施例における無線機能付き時計であって、回転ベゼル上に設けられた凹部に、補強部材を固定した状態を説明する斜視図、図２０は、本発明の第８の実施例における無線機能付き時計であって、回転ベゼル上に設けられた凹部に、補強部材を固定した状態を説明する部分断面図である。
【手続補正４０】
【補正対象書類名】明細書
【補正対象項目名】０２１２
【補正方法】変更
【補正の内容】
【０２１２】
また、このような絶縁被膜としては、
・ＤＬＣ（Ｄｉａｍｏｎｄ Ｌｉｋｅ Ｃａｒｂｏｎ）などのＣＶＤ被膜、
・アクリル系材料、ウレタン系材料、または、セルロース系材料などの有機材料の絶縁被膜、
・クロム化合物を含むクロム化合物系被膜、または酸化アルミ化合物を含む酸化アルミ系被膜、
などを採用することができる。
【手続補正４１】
【補正対象書類名】明細書
【補正対象項目名】０２１６
【補正方法】変更
【補正の内容】
【０２１６】
また、補強部材５３の視認面の色調が、回転ベゼル３６の視認面の色調と異色色調とすることもできる。
このようにすることによって、補強部材５３の部分を、美観上または何らかの情報として、時計の携帯者などの観察者に視認し易くすることができる。
【手続補正４２】
【補正対象書類名】明細書
【補正対象項目名】０２２５
【補正方法】変更
【補正の内容】
【０２２５】
また、このような絶縁被膜としては、
・ＤＬＣ（Ｄｉａｍｏｎｄ Ｌｉｋｅ Ｃａｒｂｏｎ）などのＣＶＤ被膜、
・アクリル系材料、ウレタン系材料、またはセルロース系材料などの有機材料の絶縁被膜、
・クロム化合物を含むクロム化合物系被膜、または酸化アルミ化合物を含む酸化アルミ系被膜、
などを採用することができる。
【手続補正４３】
【補正対象書類名】明細書
【補正対象項目名】０２３５
【補正方法】変更
【補正の内容】
【０２３５】
１０・・・無線機能付き時計
１２・・・ハウジング
１４・・・時計ケース
１６・・・裏蓋
１８・・・風防
２０・・・ムーブメント
２０ａ・・小径部
２０ｂ・・大径部
２２・・・ソーラーセル
２４・・・文字板
２６・・・アンテナ
２７・・・分針
２８・・・バンド取り付け部
２９・・・時針
３０・・・脚部
３１・・・針軸
３２・・・見返し部
３６・・・回転ベゼル
３７・・・環状凸部
３９・・・環状凹部
４１・・・クリック溝
４２・・・テーパー面
４３・・・環状溝
４５・・・環状壁
４６・・・固定（防水）パッキン
４７・・・クリックばね部材
４８・・・中子部材
４９・・・弾性爪
５０・・・係合突設部
５１・・・固定爪
５２・・・係合用凹部
５３・・・補強部材
５４・・・支持枠
５６・・・スリット
５７・・・段部
５９・・・絶縁領域
７８・・・絶縁部材
７８ｃ・・凹部
７８ｄ・・係合孔部
７８ｅ・・延出部
８０・・・付加部材
８０ｃ・・覆い部
８０ｄ・・係合凸部
８４・・・装飾部材
８８・・・指標部
１００・・・電波時計
１０２・・・ハウジング
１０４・・・時計ケース
１０６・・・裏蓋
１０８・・・風防
１１０・・・ムーブメント
１１２・・・ソーラーセル
１１４・・・文字板
１１６・・・アンテナ
１１８・・・バンド取り付け部
１２０・・・脚部
１２２・・・スリット
【手続補正４４】
【補正対象書類名】図面
【補正対象項目名】図２１
【補正方法】変更
【補正の内容】
【図２１】
2008032567.tif 000001